(57)【要約】【課題】撮影情報が付加された画像データと付加されていない画像データのいずれをも対象とし、画像に応じた補正が可能な手法を提供する。【解決手段】カメラで撮影され、かつ、ファイル名が付与された画像データを取得する取得部と、固有のキーワードが付与された複数のグループと取得された画像データとを、各グループのキーワードおよび前記画像データのファイル名を用いて照合し、各グループに属する画像データといずれのグループにも属さない画像データとに分類する分類部と、それぞれのグループに応じた補正データを格納する補正データ格納部と、各グループの画像データに前記補正データを適用して補正する補正部と、補正された画像データを出力する出力部とを備えることを特徴とする画像データ処理装置。【選択図】図１
2008085643.tif 000002
【特許請求の範囲】
【請求項１】
カメラで撮影され、かつ、ファイル名が付与された画像データを取得する取得部と、
固有のキーワードが付与された複数のグループと取得された画像データとを、各グループのキーワードおよび前記画像データのファイル名を用いて照合し、各グループに属する画像データといずれのグループにも属さない画像データとに分類する分類部と、
それぞれのグループに応じた補正データを格納する補正データ格納部と、
各グループの画像データに前記補正データを適用して補正する補正部と、
補正された画像データを出力する出力部とを備えることを特徴とする画像データ処理装置。
【請求項２】
前記補正部は、いずれのグループにも属さない画像データを補正しない請求項１記載の画像データ処理装置。
【請求項３】
補正された画像データをユーザーの指示に応じてさらに調整する画像調整部と、
調整された内容を調整履歴として記憶する調整記憶部と、
調整履歴に応じて前記補正データを生成または更新する補正データ更新部とをさらに備える請求項１記載の画像データ処理装置。
【請求項４】
前記画像データは、カメラの撮影情報が付与されてなり、
前記分類部は、付与された撮影情報をさらにキーワードと照合し、キーワードと撮影情報とが関連するとき、当該キーワードが付与されたグループに前記画像データを分類する請求項１記載の画像データ処理装置。
【請求項５】
前記撮影情報は、カメラの機種情報を含み、
補正データ格納部は、機種別の補正データをさらに格納し、
補正部は、グループに応じた補正データを用いて各グループの画像データを補正し、かつ、機種別の補正データを用いて機種情報が撮影情報として付与された各画像データを補正する請求項１記載の画像データ処理装置。
【請求項６】
画像データに適用されるべき機種別の補正データが補正データ格納部に格納されていない場合、通信線を介して外部から該当機種用の補正データを取得する機種別データ取得部をさらに備える請求項５記載の画像データ処理装置。
【請求項７】
補正部は、画像データに適用されるべき機種別の補正データが補正データ格納部に格納されていない場合、同じ製造元の他機種の補正データを用いて前記画像データを補正する請求項５記載の画像データ処理装置。
【請求項８】
カメラで撮影され、かつ、ファイル名が付与された画像データを取得する取得部と、
固有のキーワードが付与された複数のグループと取得された画像データとを、各グループのキーワードおよび前記画像データのファイル名を用いて照合し、各グループに属する画像データといずれのグループにも属さない画像データとに分類する分類部と、
それぞれのグループに応じた補正データを格納する補正データ格納部と、
各グループの画像データに前記補正データを適用して補正する補正部と、
補正された画像データを出力する出力部
としてコンピュータを機能させるための画像データ処理プログラム。
【発明の詳細な説明】
【技術分野】
【０００１】
この発明は、撮影された画像データを処理する画像データ処理装置および画像データ処理プログラムに関する。
【背景技術】
【０００２】
デジタルカメラの普及に伴い、今日では、高品質な画像データが簡単に得られるようになった。さらに、スキャナ装置の普及によって、フィルムに撮影された画像からも、簡便に画像データが得られるようになった。さらに、画像データを簡便に編集したり補正したりするソフトウェアも普及している。これらの機器やソフトウェアの普及に伴って、撮影された画像データを印刷する機会が増えている。撮影された画像データを、高品質かつ簡便に印刷することのできる手法が望まれている。
【０００３】
撮影装置や印刷装置の性能向上は著しいが、それでも、明暗差を飽和せずに扱える範囲（ダイナミックレンジ、あるいは、ラチチュードともいう）は、肉眼に比べてまだ狭い。表現可能な階調数も、肉眼に劣る。また、再現可能な色領域も、肉眼に比べて狭い。撮像装置や印刷装置の限られた再現能力の範囲内で、高品質の印刷出力を得るために、画像データの補正が不可欠である。また、撮影者の意図に応じた印刷出力を得るために、画像データの補正が不可欠である。
【０００４】
これに対して、たとえば、デジタルカメラで撮影した画像データの機種を、画像データに添付されるＥｘｉｆ情報から取得し、機種に応じたプロファイルを用いて補正するものが知られている。Ｅｘｉｆ情報は、デジタルカメラなどの画像入力機器が出力するファイルフォーマットとして標準化された規格であるＥｘｉｆフォーマット（非特許文献１参照）に含まれる情報である。Ｅｘｉｆフォーマットでは、種々の撮影に関する情報（撮影情報）を、「タグ」の形式で付加することが規定されている。この規定に沿って画像データに添付される情報が、Ｅｘｉｆ情報である。前述の特許文献１も、このＥｘｉｆ情報を利用するものである。さらに、画像データの補正を行った場合に、その補正データを蓄積保存しておき、蓄積された補正データに基づいてプロファイルを更新するものが知られている（例えば、特許文献１参照）。
【特許文献１】特開２００５−１４２７２３号公報
【非特許文献１】“ＪＥＩＤＡ  規格  ディジタルスチルカメラ用画像ファイルフォーマット規格（Ｅｘｉｆ）  Version 2.1”、[online]、平成１０年１２月改正、社団法人  日本電子工業振興協会、[平成１８年９月１２日検索]、インターネット<URL:http://it.jeita.or.jp/document/publica/standard/exif/japanese/Exifj.pdf>
【発明の開示】
【発明が解決しようとする課題】
【０００５】
今日、大半のデジタルカメラが出力する画像データは、標準規格であるＥｘｉｆフォーマットに準拠している。しかし、全ての画像データにＥｘｉｆ情報が付加されているとは限らない。たとえば、スキャナを用いてフィルムをスキャンした画像には、Ｅｘｉｆ情報が付加されない。通常のスキャナは、Ｅｘｉｆ非対応である。また、デジタルカメラから出力された画像データをＥｘｉｆ非対応の画像編集ソフト等で編集した場合、編集後のファイルは、Ｅｘｉｆ情報が欠落する。Ｅｘｉｆ情報が付加されていない画像データであっても、画像に応じた補正を行って、高品質な印刷出力を得ることのできる手法が望まれている。
【０００６】
また、Ｅｘｉｆ情報が付加されている画像データは、付加された情報を活用し、機種ごとの特性に応じた補正を行い、高品質な印刷出力を得ることのできる手法が望まれている。
【０００７】
この発明は、前述したような事情を考慮してなされたものであって、撮影情報が付加された画像データと付加されていない画像データのいずれをも対象とし、画像に応じた補正が可能な手法を提供するものである。
【課題を解決するための手段】
【０００８】
この発明は、カメラで撮影され、かつ、ファイル名が付与された画像データを取得する取得部と、固有のキーワードが付与された複数のグループと取得された画像データとを、各グループのキーワードおよび前記画像データのファイル名を用いて照合し、各グループに属する画像データといずれのグループにも属さない画像データとに分類する分類部と、それぞれのグループに応じた補正データを格納する補正データ格納部と、各グループの画像データに前記補正データを適用して補正する補正部と、補正された画像データを出力する出力部とを備えることを特徴とする画像データ処理装置を提供する。
【０００９】
また、異なる観点から、この発明は、カメラで撮影され、かつ、ファイル名が付与された画像データを取得する取得部と、固有のキーワードが付与された複数のグループと取得された画像データとを、各グループのキーワードおよび前記画像データのファイル名を用いて照合し、各グループに属する画像データといずれのグループにも属さない画像データとに分類する分類部と、それぞれのグループに応じた補正データを格納する補正データ格納部と、各グループの画像データに前記補正データを適用して補正する補正部と、補正された画像データを出力する出力部としてコンピュータを機能させるための画像データ処理プログラムを提供する。
【発明の効果】
【００１０】
この発明の画像データ処理装置は、固有のキーワードが付与された複数のグループと取得された画像データとを、各グループのキーワードおよび前記画像データのファイル名を用いて照合し、各グループに属する画像データといずれのグループにも属さない画像データとに分類する分類部を備えるので、付与されたファイル名に応じて画像データを分類することができる。
【００１１】
デジタルカメラから出力される画像データは、撮影された日付や連番などから構成される自動的に付与されるのが通例である。その状態では、画像データに付与されたファイル名は、撮影内容と関連がない。しかし、画像データを整理するソフト、いわゆるアルバムソフトは、画像データのファイル名を一括して変更する機能（一括リネーム機能）を有するものが多い。画像データを編集するソフト、いわゆるフォトレタッチソフトも、一括リネーム機能を有するものが多い。ユーザーは、デジタルカメラで撮影した画像データを保管する際、前述のアルバムソフトあるいはフォトレタッチソフトを用いる。
【００１２】
このとき、画像データに、その内容が識別し易いようにファイル名を変更することが多い。例えば、旅行の写真には、旅行先の地名、日付および通し番号からなるファイル名に変更したりする。あるいは、子供の写真は、子供の名前を含むファイル名を付けたりする。また、建築物や史跡には、その名称を含むファイル名を付けることもある。その他、祭りや、その他の催事を撮影したものには、その名称を付けることが多いと雄もされる。従って、人物名、地名（国名、地域名などを含む）、催事名などを予めキーワードとしておき、ファイル名と照合することによって、画像データを内容に応じて分類できる可能性が高い。このように、画像の内容に応じたファイル名が付けられている場合、この発明の画像データ処理装置は、そのファイル名を用いて、画像の内容に応じて画像データを複数のグループに分類することができる
【００１３】
ここで、画像データ処理装置は、たとえば、パーソナルコンピュータ上で、ＣＰＵがそれにインストールされたアプリケーションプログラムを実行することによって実現されるものであってもよい。あるいは、ＣＰＵがインストールされたプリンタドライバプログラムを実行することによって実現されるものであってもよい。あるいはまた、画像データ処理装置は、画像を処理する機器、例えば、フォトデータストレージや、画像形成装置に組み込まれて実現されてもよい。
【００１４】
取得部は、例えば、ＵＳＢやＩＥＥＥ１３９４などの通信線を介して外部から画像データを取得するものであってもよい。あるいは、メモリカードなどの記録メディアを介して、外部から画像データを取得するものであってもよい。
補正データ格納部は、補正データを更新可能に格納する不揮発性記憶媒体であることが好ましい。その具体的な態様の一例は、ハードディスク装置である。
【００１５】
補正部が行う処理は、画像に対する一般的な補正が対象となり得る。例えば、明るさ、コントラスト、彩度、色相、γ特性などの補正、種々の画像フィルタ処理などの補正の一部もしくは全部であってもよい。
出力部は、例えば、画像データを表示装置へ出力して表示させるものであってもよい。あるいは、画像データを画像形成装置へ出力して印刷させるものであってもよい。
【００１６】
前記補正部は、いずれのグループにも属さない画像データを補正しないように構成してもよい。このようにすれば、関連するキーワードが見出されなかった画像データと関連するキーワードが見出され、グループに分類された画像データと区別して処理することができる。
【００１７】
また、補正された画像データをユーザーの指示に応じてさらに調整する画像調整部と、調整された内容を調整履歴として記憶する調整記憶部と、調整履歴に応じて前記補正データを生成または更新する補正データ更新部とをさらに備えていてもよい。このようにすれば、グループに分類された画像データに対してなされた補正がユーザーの意図に沿うものでなかった場合、ユーザーの意図に応じた調節を加えることができる。また、ユーザーによる調節が履歴として記憶されるので、例えば、ユーザーが行った調整に一定の傾向がある場合、その傾向を補正データに反映させることができる。
【００１８】
また、前記画像データは、カメラの撮影情報が付与されてなり、前記分類部は、付与された撮影情報をさらにキーワードと照合し、キーワードと撮影情報とが関連するとき、当該キーワードが付与されたグループに前記画像データを分類するようにしてもよい。このようにすれば、ファイル名だけでなく撮影情報にキーワードに関連する語が含まれる場合、キーワードに応じて画像データが分類される。
【００１９】
前述のＥｘｉｆフォーマットの「タグ」には、種々の種類がある。その中には画像のないように関連するものもある。例えば、タグのＮｏ．３７５１０は、（もし、入力されれば）、ユーザーのコメントを記録するタグとして規定されている。また、タグのＮｏ．２７０は、画像タイトルを記録するタグとして規定されている。前記分類部は、これらのタグを参照してもよい。
【００２０】
さらに、前記撮影情報は、カメラの機種情報を含み、補正データ格納部は、機種別の補正データをさらに格納し、補正部は、グループに応じた補正データを用いて各グループの画像データを補正し、かつ、機種別の補正データを用いて機種情報が撮影情報として付与された各画像データを補正するであってもよい。このようにすれば、画像データが撮影された機種の特性に応じた補正を行うことができる。
【００２１】
さらにまた、画像データに適用されるべき機種別の補正データが補正データ格納部に格納されていない場合、通信線を介して外部から該当機種用の補正データを取得する機種別データ取得部をさらに備えていてもよい。このようにすれば、機種の世代交代が行われたときにも、例えば、インターネット上に新機種の補正データがアップロードされていれば、アップロードされた補正データを取得して補正を行うことができる。
【００２２】
また、補正部は、画像データに適用されるべき機種別の補正データが補正データ格納部に格納されていない場合、同じ製造元の他機種の補正データを用いて前記画像データを補正するようにしてもよい。同じメーカーの機種は、似た特性を示すことが多い。特に、後継機種がマイナーチェンジの場合に当てはまる。しかし、そうでなくても、同じメーカーの機種は、いずれも一定の傾向を有し、それがメーカーの持ち味とされていることが多い。このようにすれば、似た特性の補正データを流用して、補正を行うことができる。
【発明を実施するための最良の形態】
【００２３】
以下、図面を用いてこの発明をさらに詳述する。以下の説明により、この発明をよりよく理解することが可能であろう。なお、以下の説明は、すべての点で例示であって、限定的なものではないと解されるべきである。
図１は、この発明の画像データ処理装置の機能的なブロック構成を示すブロック図である。この実施の形態では、図１の画像データ処理装置１は、パーソナルコンピュータのハードウェア上で実現されるものとする。
【００２４】
取得部１１は、外部から画像データを取得するブロックである。即ち、前記パーソナルコンピュータに設けられたスロットにメモリカードが挿入されると、前記メモリカードに記憶された画像データを読み取るブロックである。具体的には、デバイスドライバを介してメモリカードに記憶された画像データを取得するソフトウェアを、前記パーソナルコンピュータのＣＰＵが実行することによって実現される。
【００２５】
分類部１３は、取得された画像データのファイル名あるいは、前記画像データに付与されたＥｘｉｆ情報を、予め定められたキーワードと照合し、キーワードに関連する語が見つかった場合にそのキーワードに応じて画像データを分類する。分類部１３は、前記パーソナルコンピュータのＣＰＵがプログラムを実行することによって実現される。
【００２６】
補正データ格納部１５は、グループごとおよび機種ごとの補正データを格納するブロックである。具体的には、補正データ格納部１５は、パーソナルコンピュータのハードディスク装置で実現される。
補正部１７は、画像データが属するグループの補正データおよび機種情報から決定された補正データを用いて画像データの補正を行うブロックである。補正部１７は、前記パーソナルコンピュータのＣＰＵがプログラムを実行することによって実現される。
【００２７】
出力部１９は、補正された画像データを外部へ出力するブロックである。画像データの出力先の一例は、パーソナルコンピュータの表示装置である。他の出力先の例は、プリンタである。出力部１９は、前記パーソナルコンピュータのＣＰＵがプログラムを実行することによって実現される。
【００２８】
図２は、この発明の画像データ処理装置に係るＣＰＵが、取得された画像データに応じた補正を行う処理の手順を示すフローチャートである。図２で、ＣＰＵは、取得された画像データに機種情報が付加されているか否かを判断する（ステップＳ１）。機種情報が付加されていなければ、ルーチンは、後述するステップＳ２１へ進む。一方、機種情報が付加されている場合、ルーチンは次のステップＳ３へ進む。具体的には、ファイルにＥｘｉｆ情報が付加されており、Ｅｘｉｆ情報の中で機種情報に関するタグ、例えば、タグＮｏ．２７１の「Ｍａｋｅ（画像入力機器のメーカ名）」、タグＮｏ．２７２の「Ｍｏｄｅｌ（画像入力機器のモデル名）」、タグＮｏ．３０５の「Ｓｏｆｔｗａｒｅ（ソフトウェア）」が機種情報に該当する。これらのタグの全部もしくは一部に情報が付加されていれば、ＣＰＵは、機種情報ありと判断する。
【００２９】
機種情報が付加されている場合、ＣＰＵは、付加された機種情報を読み出す（ステップＳ３）。そして、読み出した機種情報に対応する補正データが、補正データ格納部１５に格納されているか否かを判断する（ステップＳ５）。補正データが格納されている場合は、格納された補正データを取得した後（ステップＳ７）、ルーチンはステップＳ１９へ進む。
【００３０】
一方、補正データが格納されていない場合、ＣＰＵは、外部に補正データが用意されており、それが取得可能か否かを判断する。この実施形態では、インターネット上に取得可能な補正データがあるか否かを判定する（ステップＳ９）。取得可能な補正データがあれば、その補正データを取得し（ステップＳ１１）、取得した補正データを補正データ格納部１５に格納する（ステップＳ１３）。そして、ルーチンは、ステップＳ１９へ進む。
【００３１】
外部に取得可能な補正データがない場合、ＣＰＵは、同じメーカーの異機種の補正データが補正データ格納部１５に格納されているか否かを判断する（ステップＳ１５）。格納されている場合は、その補正デーを取得して流用する（ステップＳ１７）。そして、ルーチンは、ステップＳ１９へ進む。一方、異機種の補正データが格納されていない場合、ルーチンはステップＳ２１へ進む。
ステップＳ１９で、ＣＰＵは、取得した補正データを用いて画像データの補正を行う。補正データの内容と、補正の詳細については、後述する。
【００３２】
次にルーチンは、ステップＳ２１へ進み、画像データのファイル名、もしくは、ファイル名とＥｘｉｆ情報中の撮影情報を用いた画像データの分類を試みる。即ち、予め定められたキーワードでファイル名のあいまい検索を行う。Ｅｘｉｆ情報を検索対象にする場合は、所定のタグに記録された情報についてもあいまい検索を行う。あいまい検索は、公知の手法を適用すればよい。あいまい検索の結果、いずれかのキーワードがヒットすれば、そのキーワードに対応付けられたグループに画像データを分類する。
【００３３】
複数のキーワードがヒットした場合は、最も相関の強いキーワードに分類すればよい。あるいは、ヒットした情報の格納場所に予め優先度を設けておいてもよい。例えば、優先度を、ファイル名 ＞ Tag No.270（画像タイトル）＞ Tag No.37510（ユーザーコメント）と定めておく。例えば、ファイル名とTag No.37510にヒットするキーワードがあった場合、より優先度の高い「ファイル名」にヒットしたキーワードに基づいて画像ファイルを分類すればい。一方、いずれのキーワードにもヒットしなかった場合は、その画像データを「未分類」とする。
なお、複数の画像がある場合、各画像について前述の処理を行って分類を試みた後、以下のステップへ進むようにしてもよい。
【００３４】
次に、ＣＰＵは、あいまい検索の結果、画像データがグループに分類されたかどうかを判定する（ステップＳ２３）。「未分類」の場合、ルーチンは、後述するステップＳ３１へ進む。一方、いずれかのグループに分類された場合、ＣＰＵは、分類されたグループに応じた補正データを補正データ格納部１５から取得し、画像データに対する仮補正を行う（ステップＳ２５）。仮補正は、次のステップで、ユーザーに補正を受容するか否かの確認を行う際の見本を得るためのものである。仮補正は、例えば、画像データの一部分を補正したものであってもよい。あるいは、解像度を落として画像全体を縮小したものであってもよい。また、例えば、出力先がプリンタの場合は、いわゆるインデックスプリントのように、同じグループに分類された複数の縮小画像を１ページにまとめて出力してもよい。
【００３５】
続いて、ＣＰＵは、仮補正の結果をユーザーに提示し、補正を採用するか否かの判断を求める（ステップＳ２７）。具体的には、仮補正の結果と、「ＯＫ」または「キャンセル」のボタンを有するダイアログボックスを表示して、ユーザーの確認を促す。「ＯＫ」ボタンが押された場合は、補正が受容されたものとして、画像データに対して補正を実行する（ステップＳ２９）。一方、「キャンセル」ボタンが押された場合は、画像データに対する補正を行わない。
【００３６】
次に、ルーチンはステップＳ３１へ進み、ユーザーによる調整を行わせる。具体的には、各種の画像調整やフィルタ処理をユーザーが行うための画面を表示し、画像データの調整を行わせる。ここで、ユーザーが調整可能な内容は、ステップＳ１９あるいはステップＳ２９でＣＰＵが実行する補正と同じものである。即ち、明るさ、コントラスト、彩度、色相、γ特性などの補正、種々の画像フィルタ処理である。調整画面は、これらの調整項目の有無を選択するボタンや、多段階で調整するためのスライドバーを含んでいる。それぞれの調整項目と調整量に応じて、画像データを補正するアルゴリズムは、予めプログラムされている。調整量に応じた画像データの調整は、例えば、前述のフォトレタッチソフトもしくはプリンタドライバが調整画面を用いてユーザーに画像調整を行わせる機能と同様のものであってもよい。
【００３７】
図３は、ユーザーに操作させる調整画面の一例を示す説明図である。なお、補正データ格納部１５に格納される補正データは、調整画面の各調整項目の調整量を数値化したものである。調整量の数値は、調整画面の各スライドバーに記載の数値、−５〜＋５と対応している。また、各フィルタの適用量０〜３に対応している。ここで、フィルタを適用しない場合は、適用量０である。前述のステップＳ１９あるいはステップＳ２９でＣＰＵが実行する補正は、ユーザーが調整画面を用いて行う画像データの調整に代えて、ＣＰＵが補正データを用いて画像データを補正するものである。例えば、ある画像データについてのコントラストの調整項目の数値が、機種に応じた補正値として「＋２」、グループに応じた補正値として「−１」であるとする。前記ステップＳ２７で仮補正が採用されると、ＣＰＵは、画像データに対して調整量「＋１」に相当するコントラストの補正を行う。この調整量「＋１」は、機種の補正値「＋２」とグループに応じた補正値「−１」との和で求められたものである。また、ステップＳ３１の調整画面では、コントラストのスライドバーが「＋１」の位置に表示される。
【００３８】
ユーザーは、調整画面の各スライドレバーを調整して、適用される補正量をさらに調整することができる。たとえば、ユーザーが、コントラストのスライドバーを「＋３」の位置に調節して、調整画面上に設けられた「ＯＫ」ボタンを押すと、調整が確定され（ステップＳ３３）、ＣＰＵは、画像データに対して、コントラストの補正量「＋３」に対応する補正を行う。このように、ＣＰＵは、確定された内容に従って画像データの調整を行う。また、調整画面が表示された初期の状態からユーザーが調整を行った内容を履歴として記憶する（ステップＳ３５）。以上が、画像データの補正の手順である。
【００３９】
なお、ＣＰＵは、記憶された履歴に基づいて、補正データ格納部１５に格納された補正データの内容を定期的に更新するようにしてもよい。即ち、ユーザーが行った調整が、グループごと、あるいは機種ごとに一定の傾向を示すものであれば、それを補正データに反映させてもよい。
【００４０】
最後に、前述した実施の形態の他にも、この発明について種々の変形例があり得ることは明らかである。たとえば、画像データ処理装置を実現するハードウェアは、パーソナルコンピュータに限定されない。例えば、画像データ処理装置は、画像形成装置に組み込まれてもよい。この場合、前記ＣＰＵに代えて、画像形成装置を制御するマイクロコンピュータが制御プログラムを実行することによって、各ブロックの機能が実現されてもよい。それらを含む種々の変形例は、この発明の特徴及び範囲に属さないと解されるべきものではない。本発明の範囲には、特許請求の範囲と均等の意味および範囲内でのすべての変更とが含まれることが意図される。
【図面の簡単な説明】
【００４１】
【図１】この発明の画像データ処理装置の機能的なブロック構成を示すブロック図である。
【図２】この発明の画像データ処理装置に係るＣＰＵが、取得された画像データに応じた補正を行う処理の手順を示すフローチャートである。
【図３】この発明の画像データ処理装置に用いられる、ユーザーに操作させる調整画面の一例を示す説明図である。
【符号の説明】
【００４２】
１    画像データ処理装置
１１    取得部
１３    分類部
１５    補正データ格納部
１７    補正部
１９    出力部
【図１】
2008085643.tif 000003
【図２】
2008085643.tif 000004
【図３】
2008085643.tif 000005